(57)【要約】【課題】  本発明の課題は、周波数分割多重伝送装置において、送信を行う場合に、アンテナの周波数利得偏差の影響を小さくすることである。【解決手段】  複数のサブキャリアを備えた周波数多重信号を送受信する周波数多重伝送装置は、送信部、受信部および制御部を備える。送信部は周波数多重信号を複数の変調方式で送信可能な構成を備える。受信部は該周波数多重信号に対する信号状態を対向局から受信可能な構成を備える。制御部は受信した該信号状態と該送信部内のアンテナの周波数特性を基に、該各サブキャリアに対する信号状態を求め、求めた結果に基づいて送信制御を行う。【選択図】図６
2008152692.tif 000002
【特許請求の範囲】
【請求項１】
複数のサブキャリアを備えた周波数多重信号を送受信する周波数多重伝送装置において、
該周波数多重信号を複数の変調方式で送信可能な送信部と、
該周波数多重信号に対する信号状態を対向局から受信可能な受信部と、
受信した該信号状態と該送信部内のアンテナの周波数特性を基に、該各サブキャリアに対する信号状態を求め、求めた結果に基づいて送信制御を行う制御部と
を備えたことを特徴とする周波数多重伝送装置。
【請求項２】
請求項１記載の周波数多重伝送装置において、該制御部は該各サブキャリアに対する信号状態の結果に基づき該データの変調を設定することを備えたことを特徴とする周波数多重伝送装置。
【請求項３】
請求項１記載の周波数多重伝送装置において、該制御部は該各サブキャリアに対する信号状態の結果に基づき該各サブキャリアに対する利得を制御することを特徴とする周波数多重伝送装置。
【請求項４】
請求項１記載の周波数多重伝送装置において、該信号状態は複数のサブキャリアの信号対雑音比の平均値であることを特徴とする周波数多重伝送装置。
【請求項５】
請求項４記載の周波数多重伝送装置において、該制御部は該複数のサブキャリアの中から制御を行うサブキャリアを選択し、選択された該サブキャリアが該信号対雑音比の平均値から差があるかを記憶したテーブルに基づき制御する事を特徴とする周波数多重伝送装置。
【請求項６】
複数のサブキャリアを用いて周波数多重伝送を行う周波数多重伝送装置において、
送信データを複数のサブキャリアに対応して並列化する直列−並列変換部と、
該各サブキャリアに対応したデータに対してそれぞれ設けられ、該データを複数の変調方式で変調可能な変調部と、
複数の該変調器の出力を逆フーリエ変換部と、
該逆フーリエ変換部の出力をアンテナより無線波として送信する送信部と、
アンテナからの無線波を受信する受信部と、
該受信部からの信号をフーリエ変換するフーリエ変換部と、
該フーリエ変換部からの複数の出力に対してそれぞれ設けられ、該複数の出力を復調化する復調部と、
複数の該復調部からの出力を直列化する並列−直列変換部と、
該各変調部の変調方式をアンテナの周波数特性とサブキャリアの信号対雑音比に基づいて制御する制御部と
を備えたことを特徴とする周波数多重伝送装置。
【発明の詳細な説明】
【技術分野】
【０００１】
本発明は周波数分割多重伝送に関する発明である。本発明は、隣接するキャリア周波数を直交状態に配置した、直交周波数分割多重伝送方式（ＯＲＴＨＯＧＯＮＡＬ  ＦＲＥＱＵＥＮＣＹ  ＤＩＶＩＳＩＯＮ  ＭＵＬＴＩＰＬＥＸＩＮＧ伝送方式：ＯＦＤＭ伝送方式）、直交周波数分割多重アクセス伝送方式（ＯＲＴＨＯＧＯＮＡＬ  ＦＲＥＱＵＥＮＣＹ  ＤＩＶＩＳＩＯＮ  ＭＵＬＴＩＰＬＥＸＩＮＧ  ＡＣＣＥＳＳ伝送方式：ＯＦＤＭＡ伝送方式）を用いる場合有用な発明である。
【背景技術】
【０００２】
ＯＦＤＭＡを含むＯＦＤＭ伝送等の周波数分割多重伝送を採用する通信システムとして、ＩＥＥＥ８０２．１１（ＷｉＦｉ）やＩＥＥＥ８０２．１６（ＷｉＭＡＸ）、第３．９世代無線アクセスネットワーク通信（ＳＵＰＥＲ３Ｇ）、第４世代無線アクセスネットワーク通信（４Ｇ）などがあげられる。【０００３】
ＯＦＤＭを用いた伝送は、マルチキャリア化によって、ＲＦ周波数を広帯域に利用する。さらに、ＯＦＤＭを用いた伝送は、誤り訂正技術などを使用することで、周波数選択性フェージングに対する耐力を持つこともできる。ＯＦＤＭ伝送を行う方式では、マルチキャリアを構成するサブキャリアの変調方式を変更する場合もある。【０００４】
一方、ＯＦＤＭ伝送を行う伝送装置等に用いるアンテナはＲＦ周波数帯域全体に対して均一な定在波比特性（Ｓｔａｎｄｉｎｇ  ｗａｖｅ  ｒａｔｉｏ特性：ＳＷＲ特性）を有していない。通常のアンテナは図１のような周波数−定在波比特性が一般的である。図１は中心周波数の定在波比が小さく、インピーダンス整合が取れている。一方、中心周波数を外れるにしたがって、図１は定在波比が大きくなり、インピーダンス整合が不十分となる。アンテナを広帯域対応にするため、図２のようにアンテナに複数の共振周波数を与える考えもある。図１や図２のように、ＳＷＲ特性がＯＦＤＭ伝送行うＲＦ周波数帯域全体に対して異なる場合、周波数利得偏差の影響を受ける。従って、信号帯域が広いＯＦＤＭ伝送では、図１、図２のようなアンテナおよびフィーダー系の周波数利得偏差の影響を受ける問題がある。周波数利得偏差の影響を大きく受けると対向する受信器で、信号識別誤りが多く発生する問題が生じる。【０００５】
従来技術として、特許文献１が知られている。
【特許文献１】特開２００２−２３７７９５号公報
【発明の開示】
【発明が解決しようとする課題】
【０００６】
本発明は、周波数分割多重伝送装置において、周波数分割多重伝送を行う場合に、アンテナ・フィーダー系の周波数利得偏差の影響を考慮した送信を行うことを目的とする。
【課題を解決するための手段】
【０００７】
上記の課題を解決するための手段を以下に説明する。課題を解決するため、複数のサブキャリアを備えた周波数多重信号を送受信する周波数多重伝送装置は、該周波数多重信号を複数の変調方式で送信可能な送信部と、該周波数多重信号に対する信号状態を対向局から受信可能な受信部と、受信した該信号状態と該送信部内のアンテナの周波数特性を基に、該各サブキャリアに対する信号状態を求め、求めた結果に基づいて送信制御を行う制御部とを備える。
【発明の効果】
【０００８】
本発明によれば、周波数分割多重伝送を行う場合、アンテナ・フィーダー系の周波数利得偏差を配慮した送信を行うことができる。
【図面の簡単な説明】
【０００９】
【図１】アンテナの定在波比特性を示す図
【図２】アンテナの定在波比特性を示す図
【図３】サブキャリアに対する周波数特性を示す図
【図４】サブキャリアに対する周波数特性を示す図
【図５】パイロットサブキャリアに対する周波数特性を示す図
【図６】本発明のＯＦＤＭシステム構成を示す図
【図７】第１実施形態の制御部の構成を示す図
【図８】変調方式変換テーブルの一例を示す図
【図９】第１実施形態のプロセッサの制御手順を示す図
【図１０】第１実施形態のプロセッサの制御手順を示す図
【図１１】第２実施形態のＯＦＤＭシステム構成
【図１２】第２実施形態の制御部の構成を示す図
【図１３】第２実施形態のプロセッサの制御手順を示す図
【図１４】第２実施形態のプロセッサの制御手順を示す図
【符号の説明】
【００１０】
１  シリアル・パラレル変換部
２  変調部２
３  逆フーリエ変換部
４  ガードインターバル（ＧＩ）部
５  デジタル・アナログ変換（Ｄ／Ａ）部
６  終段増幅器
７  アンテナ素子
８  アンテナ素子
９  アナログ・デジタル変換部
１０  ガードインターバル部
１１  フーリエ変換部
１２  復調部
１３  パラレル・シリアル変換（Ｐ／Ｓ）部
１４  制御部
１５  利得制御部
１６  変調方式変換テーブル
１７  バス
１８  入力インターフェース
１９  プロセッサ
２０  変調部制御部
２１  利得制御部の制御部
２２  アンテナテーブル
２３  対向局
【発明を実施するための最良の形態】
【００１１】
以下、図面を参照して本発明の実施形態について説明する。実施形態の構成は例示であり、本発明は実施形態の構成に限定されない。以下の実施形態では周波数分割多重伝送の一例としてＯＦＤＭ伝送（ＯＦＤＭＡも含む）を用いて実施形態の説明を行うが、本実施形態は複数のサブキャリアを用いる他の周波数分割多重伝送を用いることもできる。【００１２】
ＯＦＤＭ伝送を行う場合の信号レベルに対する周波数特性の例を図３ないし図５に示す。図３ないし図５では一例として、２０波のサブキャリアを用いたＯＦＤＭ信号である。図３ないし図５の中で、各サブキャリアの番号は最も低周波側のサブキャリアＣ０１から始まり、最も高周波側のサブキャリアはＣ２０とする。太線で示したサブキャリアＣ０１、Ｃ０６、Ｃ１１、Ｃ１６はパイロットキャリアを示す。パイロットキャリアは通信制御を行うために用いるサブキャリアである。尚パイロットキャリアは隣接して複数設けることもできる。【００１３】
図３はアンテナ・フィーダー系の周波数に対するＳＷＲ特性がフラットの場合で、各サブキャリアの出力パワーが同じ場合の特性を示している。すなわち、図３はアンテナ・フィーダー系が理想的な状態の各サブキャリアの周波数特性を示している。実際の端局２４から出力される各サブキャリアの周波数特性を図４に示す。図４は図３の特性に図１のアンテナ・フィーダー系の損失が加わった特性である。図４では、Ｃ０９が信号レベルの最も高いサブキャリアとなる。Ｃ０９から低周波および高周波にいくほど、信号レベルは低下する。図５は図４の特性からパイロットキャリアＣ０１、Ｃ０６、Ｃ１１、Ｃ１６とサブキャリアＣ０２からＣ０５を抜き出した図である。図５の特性から以下のことが判る。キャリアＣ０１、Ｃ０６、Ｃ１１、Ｃ１６の平均値はｂの信号レベルである。パイロットキャリアＣ０１、Ｃ１６の信号レベルはｂの値より低くなったｃである。パイロットキャリアＣ０６、Ｃ１１の信号レベルはｂの値より高くなったａである。【００１４】
即ち、各サブキャリアの周波数の位置において、ｂの値からどれだけ差があるかを考慮することで、アンテナ・フィーダー系の周波数利得偏差の影響を受けなくすることができる。【００１５】
具体的には、複数のサブキャリアを備えた周波数多重信号を送受信する周波数多重伝送装置は、該周波数多重信号を複数の変調方式で送信可能な送信部と、該周波数多重信号に対する信号状態を対向局から受信可能な受信部と、受信した該信号状態と該送信部内のアンテナの周波数特性を基に、該各サブキャリアに対する信号状態を求め、求めた結果に基づいて送信制御を行う制御部とを備える。【００１６】
ここで、言う送信制御とは、各サブキャリアの信号状態に合わせた変調方式の選択や送信電力の調整を意味する。変調方式の選択を第１の実施形態とし、送信電力の調整を第２の実施形態として以下に説明する。【００１７】
［第１実施形態のＯＦＤＭシステム］
以下に上記を実現するための第１の実施形態を説明する。第１の実施形態はサブキャリアの変調方式の選択をアンテナ・フィーダー系の損失を加えて制御を行う例である。【００１８】
第１実施形態のＯＦＤＭシステム構成を図６に示す。端局２４は無線通信装置としての端局である。端局２４の送信部では、符号化（誤り訂正符号化）済みの入力データに対してシリアル・パラレル変換部１でシリアル・パラレル（Ｓ／Ｐ）変換を行う。Ｓ／Ｐ変換により、高速のシリアルデータを低速な複数のシンボル列に変換している。これらのシンボルは各サブキャリアに対応している。分割されたシンボルのデータ系列毎に変調部２を設ける。変調部２は予め定められた所定の変調（例：６４ＱＡＭ、１６ＱＡＭ、ＱＰＳＫ）を行う。このようにして、一次変調された信号は、逆フーリエ変換（Ｉｎｖｅｒｓｅ  Ｆａｓｔ  Ｆｏｕｒｉｅｒ  Ｔｒａｎｓｆｏｒｍ：ＩＦＦＴ）部３で逆フーリエ変換が行われる。この、逆フーリエ変換は周波数領域から時間領域への変換とみなすことが出来る。逆フーリエ変換された信号は、送信に伴う符号間干渉をさけるため、ガードインターバル（ＧＩ）部４でＧＩを付加される。ＧＩを付加されたシンボルはデジタル・アナログ変換（Ｄ／Ａ）部５でアナログ信号に変換される。アナログ信号は搬送波を付加し、終段増幅器６で増幅する。増幅されたアナログ信号はアンテナ素子７から送信される。尚、複数のサブキャリアの中には少なくとも複数のパイロットキャリアが割り付けられている。【００１９】
アンテナ素子７から送信されたＯＦＤＭ信号は無線通信装置としての対向局２３で受信される。対向局２３は端局２４からのＯＦＤＭ信号を受信器で復調すると共に、ＯＦＤＭ信号の中のサブキャリアに割り付けられた複数パイロットキャリアのＳＮＲを測定する。そして、対向局２３は測定結果から複数パイロットキャリアのＳＮＲの平均を算出する。算出されたＳＮＲはパイロットキャリアの信号状態として対向局２３から端局２４に送信される。対向局２３の構成は端局２４の送信部および受信部と同じ構成の送信部および受信部で構成することができる。【００２０】
端局２４の受信部では、到来した信号をアンテナ素子８で受信する。受信した信号はアナログ・デジタル変換部９でデジタル化する。デジタルに変換された信号はガードインターバル部１０でガードインターバルを取り除く。ガードインターバルが取り除いた信号はフーリエ変換（Ｆａｓｔ  Ｆｏｕｒｉｅｒ  Ｔｒａｎｓｆｏｒｍ：ＦＦＴ）部１１でフーリエ変換が行われる。フーリエ変換された信号は、復調部１２でサブキャリア毎に復調する。復調部１２で復調することで、各サブキャリアに対応するデータ系列となる。これらを、パラレル・シリアル変換（Ｐ／Ｓ）部１３で変換することで、復調した受信データが得られる。Ｐ／Ｓ部１３の後段では、データ処理に必要な復号処理等が行われる。【００２１】
端局２４内の制御部１４は受信データから、対向局２３が送信した複数のパイロットキャリアのＳＮＲ平均値を用いてサブキャリアの信号状態を求め、最適な変調方式を選択する。さらに、制御部１４は、選択した変調方式を変調部２に対して設定する。具体的には、制御部１４は受信したＳＮＲの平均値とアンテナの周波数特性から各サブキャリアに対応したＳＮＲ値を求め、求めたＳＮＲ値に対応して変調方式を可変する制御（適応変調制御）を行う。【００２２】
［第１実施形態の制御部の構成］
第１実施形態の制御部１４の構成を図７に示す。図７はバス１７に入力インターフェース１８、プロセッサ１９、変調部制御部２０、アンテナテーブル２２と変調方式変換テーブル１６を接続した状態を示している。【００２３】
入力インターフェース１８は図６のパラレル・シリアル変換（Ｐ／Ｓ）部１３からの信号を受信する。さらに、入力インターフェース１８は対向局２３が送信した複数のパイロットキャリアのＳＮＲ平均値を抽出する。【００２４】
アンテナテーブル２２は、各サブキャリアがパイロットキャリアのＳＮＲの平均値に対して、何ｄＢずれているかを記憶したテーブルである。このテーブルは予めアンテナ・フィーダー系のＳＷＲ特性を測定して求めておく。アンテナテーブル２２は、図４および図５の特性から、各サブキャリアの周波数の位置において、パイロットキャリアの平均値ｂの値からどれだけ差があるかをテーブルとして構成する。一例として、図５ではＣ０１とＣ１６は平均値よりも２ｄＢ低く、Ｃ０６とＣ１１は平均値よりも２ｄＢ高い。このように、アンテナテーブル２２は、サブキャリアごとに平均値から何ｄＢ差があるかをテーブル上に記憶しておく。【００２５】
変調方式変換テーブル１６はＳＮＲに対応した最適な変調方式を記憶したテーブルである。図８に変調方式変換テーブル１６の一例を示す。図８において、ＳＮＲが悪い状態８０３（１１ｄＢ以下の場合）はＱＰＳＫを、中間の状態８０２（１１ｄＢオーバーから１５ｄＢ未満の場合）は１６ＱＡＭを、ＳＮＲが良い状態８０１（１５ｄＢ以上）は６４ＱＡＭを選択するようにテーブルを構成する。【００２６】
プロセッサ１９は、入力インターフェース１８から複数のパイロットキャリアのＳＮＲ平均値を取得する。そして、プロセッサ１９は、アンテナテーブル２２から各サブキャリアに対する信号レベル差と複数のパイロットキャリアのＳＮＲ平均値から、各サブキャリアの信号状態であるＳＮＲ推定値を求める。プロセッサ１９は、求めた各サブキャリアのＳＮＲ推定値と変調方式変換テーブル１６を比較し、変調方式を選択する。【００２７】
変調部制御部２０は、各変調部２がプロセッサ１９の選択した変調方式で変調を行うように、変調部２を制御する。【００２８】
［第１実施形態のプロセッサの制御手順］
図９と図１０に第１実施形態のプロセッサの制御手順を示す。図９を用いて制御全体の流れを説明する。最初に、プロセッサ１９はステップＳ１０を行う。ステップＳ１０ではプロセッサ１９が調整を行うサブキャリアを１つ選択する。この選択は予め定められた順番に従い順次行う。次に、プロセッサ１９はステップＳ２０を行う。ステップＳ２０ではプロセッサ１９が選択を行ったサブキャリアに対して、予め定めた送信電力を設定する。次に、プロセッサ１９はステップＳ３０を行う。ステップＳ３０では、プロセッサ１９が選択したサブキャリアに対して、符号化変調方式を選択する。次に、プロセッサ１９はステップＳ３０が終了すると、ステップＳ１０に戻り、再び調整を行うサブキャリアを選択する。【００２９】
図１０は図９のステップＳ３０内の流れを示している。最初に、プロセッサ１９はステップＳ３１を行う。ステップＳ３１では、プロセッサ１９がアンテナテーブル２２からステップＳ１０で選択したサブキャリアに対応する信号レベル差を読み出す。この信号レベル差はアンテナ・フィーダー系の周波数特性に基づく値である。【００３０】
次に、プロセッサ１９はステップＳ３２を行う。ステップＳ３２では、プロセッサ１９が入力インターフェース１８からパイロットキャリアの平均値を取得する。【００３１】
次に、プロセッサ１９はステップＳ３３を行う。ステップＳ３３では、プロセッサ１９がステップＳ３２で取得したパイロットキャリアのＳＮＲ平均値に、ステップＳ３１で取得したサブキャリアの信号レベル差を加えたＳＮＲ値を計算する。【００３２】
次に、プロセッサ１９はステップＳ３４を行う。ステップＳ３４では、プロセッサ１９がステップＳ３３で計算したＳＮＲ値を用いて変調方式変換テーブル１６を参照する。そして、プロセッサ１９は、比較結果を基に変調方式を選択する。【００３３】
次に、プロセッサ１９はステップＳ３５を行う。ステップＳ３５では、プロセッサ１９が変調部制御部２０に対して、ステップＳ１０で選択した変調方式を変調器２に設定するように命令を出す。【００３４】
以降は図７の変調部制御部２０の制御の説明の通り、変調部制御部２０が、プロセッサ１９の選択した変調方式で変調を行うように、変調部２を制御する。【００３５】
変調方式制御の具体例をサブキャリアＣ０２を用いて説明する。図５のａはｂより２ｄＢ高く、ｃは２ｄＢ低い。従ってＣ０２はｂとｃの間の値（−２ｄＢより大きく０ｄｂより小さい）となる。Ｃ０２は−１ｄＢとアンテナテーブルに記載してあるとする。対向局からの平均ＳＮＲが１３ｄＢであった場合、Ｃ０２のＳＮＲは
１３ｄＢ−１ｄＢ＝１２ｄＢ
となる。Ｃ０２の計算後（補正後）の値、１２ｄＢを図８のテーブルの値と比較すると１６ＱＡＭが選択される。【００３６】
第１の実施形態では、対抗局が複数のパイロットキャリアのＳＮＲ値の平均を送り返す構成となっているため、アンテナテーブル２２は各サブキャリアの信号レベルが複数のパイロットキャリアの平均値の離れ量をテーブルとして記憶した。しかし、本実施形態は、必ずしも、複数のパイロットキャリアの平均値を用いる必要はない。例えば、対抗局２５が特定のパイロットキャリアに対するＳＮＲを返送する場合は、図４および図５を基に、各サブキャリアが特定のパイロットキャリアからからどのぐらい離れているかをテーブルにしてもよい。【００３７】
第１の実施形態では、複数のサブキャリアをグループ化しても良い。そして、グループ化した複数のサブキャリアからなる帯域はそれぞれ、周波数選択性フェージングの状況に合わせて異なる変調方式にする。例えば、Ｃ０１からＣ０５までのグループにおいて、プロセッサは、Ｃ０１のパイロットキャリアの信号レベル差を読み出し、この信号レベル差を基にＣ０１のパイロットキャリアのＳＮＲを求め、Ｃ０２からＣ０５までの変調方式を選択する。このようにすることで、サブキャリアの変調方式の選択を行う回数を削減することができる。【００３８】
以下に第２の実施形態を説明する。第２の実施形態は変調方式を固定した場合にアンテナ・フィーダー系の特性を考慮して、送信電力の節電を図る例である。【００３９】
［第２実施形態のＯＦＤＭシステム］
第２実施形態のＯＦＤＭシステム構成を図１１に示す。端局２４は無線通信装置としての端局である。端局２４の送信部では、符号化済（誤り訂正符号化）みの入力データに対してシリアル・パラレル変換部１でシリアル・パラレル（Ｓ／Ｐ）変換を行う。Ｓ／Ｐ変換により、高速のシリアルデータを低速な複数のシンボル列に変換している。これらのシンボルは各サブキャリアに対応している。分割されたシンボルのデータ系列毎に変調部２を設ける。変調部２は予め定められた所定の変調（例：６４ＱＡＭ、１６ＱＡＭ、ＱＰＳＫ）を行う。データ系列毎に変調された信号はデータ系列毎に設けた利得制御部１５により利得が制御される。このようにして、利得制御された信号は、逆フーリエ変換（ＩＦＦＴ）部３で逆フーリエ変換が行われる。この、逆フーリエ変換は周波数領域から時間領域への変換とみなすことが出来る。逆フーリエ変換された信号は、送信に伴う符号間干渉をさけるため、ガードインターバル（ＧＩ）部４でＧＩが付加される。ＧＩを付加されたシンボルはデジタル・アナログ変換（Ｄ／Ａ）部５でアナログ信号に変換され。アナログ信号は搬送波を付加し、終段増幅器６で増幅する。増幅されたアナログ信号はアンテナ素子７から送信される。尚、複数のサブキャリアの中には少なくとも複数のパイロットキャリアが割り付けられている。【００４０】
アンテナ素子７から送信されたＯＦＤＭ信号は無線通信装置としての対向局２３で受信される。対向局２３は端局２４からのＯＦＤＭ信号を受信器で復調すると共に、ＯＦＤＭ信号の中のサブキャリアに割り付けられた複数パイロットキャリアのＳＮＲを測定する。そして、対向局２３は測定結果から複数パイロットキャリアのＳＮＲの平均を算出する。算出されたＳＮＲはパイロットキャリアの信号状態として対向局２３から端局２４に送信される。対向局２３の構成は端局２４の送信部および受信部と同じ構成の送信部および受信部で構成することができる。【００４１】
端局２４の受信部では、到来した信号をアンテナ素子８で受信する。受信した信号はアナログ・デジタル変換部９でデジタル化する。デジタルに変換された信号はガードインターバル部１０でガードインターバルを取り除く。ガードインターバルが取り除いた信号はフーリエ変換（ＦＦＴ）部１１でフーリエ変換が行われる。フーリエ変換された信号は、復調部１２でサブキャリア毎に復調する。復調部１２で復調することで、各サブキャリアに対応するデータ系列となる。これらを、パラレル・シリアル変換（Ｐ／Ｓ）部１３で変換することで、復調した受信データが得られる。Ｐ／Ｓ部１３の後段では、データ処理に必要な復号処理等が行われる。【００４２】
端局２４内の制御部１４は受信データから、対向局２３が送信した複数のパイロットキャリアのＳＮＲ平均値を用いて最適な利得を求め、求めたSNR値に対応して各サブキャリアの電力を可変する制御を行う。【００４３】
［第２実施形態の制御部の構成］
第２実施形態の制御部１４の構成を図１２に示す。図１２はバス１７に入力インターフェース１８、プロセッサ１９、利得制御部の制御部２１、アンテナテーブル２２と変調方式変換テーブル１６を接続している。【００４４】
入力インターフェース１８は図１１のパラレル・シリアル変換（Ｐ／Ｓ）部１３からの信号を受信する。さらに、入力インターフェース１８は対向局２３が送信した複数のパイロットキャリアのＳＮＲ平均値を抽出する。【００４５】
アンテナテーブル２２は、各サブキャリアがパイロットキャリアのＳＮＲの平均値に対して、何ｄＢずれているかを記憶したテーブルである。このテーブルは予めアンテナ・フィーダー系のＳＷＲ特性を測定して求めておく。アンテナテーブル２２は、図４および図５の特性から、各サブキャリアの周波数の位置において、パイロットキャリアの平均値ｂの値からどれだけ差があるかをテーブルとして構成する。一例として、図５ではＣ０１とＣ１６は平均値よりも２ｄＢ低く、Ｃ０６とＣ１１は平均値よりも２ｄＢ高い。このように、アンテナテーブル２２は、サブキャリアごとに平均値から何ｄＢ差があるかをテーブル上に記憶しておく。【００４６】
変調方式変換テーブル１６はＳＮＲに対応した最適な変調方式を記憶したテーブルである。図８に変調方式変換テーブル１６の一例を示す。図８において、ＳＮＲが悪い状態８０３（１１ｄＢ以下の場合）はＱＰＳＫを、中間の状態８０２（１１ｄＢオーバーから１５ｄＢ未満の場合）は１６ＱＡＭを、ＳＮＲが良い状態８０１（１５ｄＢ以上）は６４ＱＡＭを選択するようにテーブルを構成する。【００４７】
プロセッサ１９は、入力インターフェース１８から複数のパイロットキャリアのＳＮＲ平均値を取得する。取得した複数のパイロットキャリアのＳＮＲ平均値を変調方式変換テーブル１６と比較する。比較結果に基づき変調方式を選択する。パイロットキャリアのＳＮＲ平均値と各サブキャリアにて選択した変調方式の所要ＳＮＲの差を計算する。【００４８】
利得制御部制御部２１はプロセッサ１９の計算結果に基づき利得制御部１５を制御する。具体的には、信号レベルが過剰なサブキャリアは利得を下げ、信号レベルが過少なサブキャリアは利得を上げる。【００４９】
［第２実施形態のプロセッサの制御手順］
図１３と図１４に第２実施形態のプロセッサの制御手順を示す。図１３を用いて制御全体の流れを説明する。最初に、プロセッサ１９はステップＳ４０を行う。ステップＳ４０ではプロセッサ１９が符号化変調方式を選択する。具体的には図１４のａのように、ステップ４１で、プロセッサ１９が入力インターフェース１８からパイロットキャリアのＳＮＲの平均値を取得する。さらに、ステップ４２で、プロセッサ１９が複数のパイロットキャリアのＳＮＲの平均値から変調方式を選択する。この選択結果に基づき変調部２の符号化変調方式を設定する。【００５０】
次に、プロセッサ１９は図１３のステップ５０を行う。ステップ５０では対向局２３にデータ送信するサブキャリアを選択する。【００５１】
次に、プロセッサ１９は図１３のステップ６０を行う。パイロットキャリアのＳＮＲ平均値とステップ５０で選択したサブキャリアでの変調方式の所要ＳＮＲの差を計算し、ステップ５０で選択したサブキャリアの利得を制御する。【００５２】
具体的には図１４のｂのステップ６１のように、パイロットキャリアのＳＮＲの平均値と図４および図５の特性を基づくアンテナテーブルを基に、ステップ５０で選択したサブキャリアでの変調方式の所要ＳＮＲがパイロットキャリアのＳＮＲの平均値から離れている量を計算する。【００５３】
上述した実施形態は、必要に応じて適宜組み合わせることができる。
【図１】
2008152692.tif 000003
【図２】
2008152692.tif 000004
【図３】
2008152692.tif 000005
【図４】
2008152692.tif 000006
【図５】
2008152692.tif 000007
【図６】
2008152692.tif 000008
【図７】
2008152692.tif 000009
【図８】
2008152692.tif 000010
【図９】
2008152692.tif 000011
【図１０】
2008152692.tif 000012
【図１１】
2008152692.tif 000013
【図１２】
2008152692.tif 000014
【図１３】
2008152692.tif 000015
【図１４】
2008152692.tif 000016
【国際調査報告】
2008152692.tif 000017
2008152692.tif 000018
2008152692.tif 000019
2008152692.tif 000020